(57)【特許請求の範囲】
【請求項１】
ハブにカヌラが挿通固着され、
カヌラにおける、ハブに対する固着部分よりも前部側が、折曲げ可能な折曲部とされた医療用注射針において、
ハブの前端部に、折曲部の後端部を内有する環状リブが前方突出状に形成され、
折曲部の後端部に、
折曲部の折曲時に、環状リブの前端部と当接することで、折曲部の折曲げを規制し    て、折曲部の軸心に対する折曲角度を所定角度に規制する規制体
が外嵌固着された医療用注射針。
【請求項２】
規制体が球体とされ、その中心部に折曲部が挿通固着された請求項１記載の医療用注射針。
【請求項３】
所定角度が鋭角とされた請求項１又は２記載の医療用注射針。
【発明の詳細な説明】
【技術分野】
【０００１】
本発明は、径が細く肉厚の薄いカヌラを有する医療用注射針に関し、より詳しくは、歯の治療に際して局部麻酔を行うときに使用される歯科用注射針や、インシュリンの注射に使用する注射針等に関する。
【背景技術】
【０００２】
従来、歯の治療時に、歯根に麻酔剤を注入する場合には、ハブにカヌラが挿通固着された歯科用注射針が用いられる。この場合、口腔が狭いため、カヌラの前部が直線状のままでは、カヌラの前端部を注入部位まで案内できないことが多い。そこで、カヌラにおける、ハブに対する固着部分よりも前方側が、折曲げ可能な折曲部とされ、必要に応じて、折曲部を後端部から適当な角度に折曲げて、使用している。
【０００３】
上記の場合に、折曲部の軸心に対する折曲角度が所定角度以内であれば、問題はない。然しながら、誤って、折曲角度を所定角度よりも大とした場合には、歯根に穿刺している際に、折曲部が後端部から折れて、破断する惧れがあり、大変危険であるとの問題があった。
【発明の開示】
【発明が解決しようとする課題】
【０００４】
発明が解決しようとする課題は、折曲部を折曲げた際に、折曲部が後端部から折れて、破断する惧れがあった点である。
【課題を解決するための手段】
【０００５】
本発明は上記課題を解決できる医療用注射針を提供することを目的とし、その目的を達成するために、本発明の特徴とするところは、ハブにカヌラが挿通固着され、カヌラにおける、ハブに対する固着部分よりも前部側が、折曲げ可能な折曲部とされ、ハブの前端部に、折曲部の後端部を内有する環状リブが前方突出状に形成され、折曲部の後端部に、折曲部の折曲時に、環状リブの前端部と当接することで、折曲部の折曲げを規制して、折曲部の軸心に対する折曲角度を所定角度に規制する規制体が外嵌固着された点にある。
又、規制体が球体とされ、その中心部に折曲部が挿通固着されることもある。
更に、所定角度が鋭角とされることもある。
【発明の効果】
【０００６】
本発明によれば、折曲部を折曲げた際に、折曲部が後端部から折れて、破断することを防止できる。
又、折曲部の折曲時に、折曲部の規制体よりも前部側を、更に、折曲げることも可能で、これにより、折曲部の折曲角度を、無理なく、大とできる。
【発明を実施するための最良の形態】
【０００７】
以下、本発明を歯科用注射針に適用した実施の形態の第１例を図１の図面に基づき説明すると、注射針は、カヌラ１とハブ（針基）２を有する。
【０００８】
カヌラ１はステンレス製とされ、前後両端が開口する中空状とされて、ハブ２に挿通固着され、カヌラ１における、ハブ２に対する固着部分よりも前部側が、外力による塑性変形（弾性変形の場合もある。）により折曲げ可能な折曲部４とされている。
【０００９】
ハブ２は、ポリエチレンやポリプロピレン等の透明な熱可塑性プラスチックで形成されて、略円筒状に形成されている。ハブ２の後部は、注射器（図示省略）のチップに装着される装着部６とされ、装着部６の外周面には、結合手段として、２条螺子７が形成されている。ハブ２の前部側の内部には、カヌラ１の軸心方向中間部が挿通固着される固着部８が形成されている。この固着は、インサート成形又は（高周波又は超音波による）溶着により行われる。ハブ２の前端部には、固着部８よりも前方に位置する円筒状の環状リブ９が前方突出状に形成されている。ハブ２の前端部の内部には、固着部８よりも前方に位置する空間部１０が形成されている。空間部１０は、折曲部４の折曲げを許容すると共に、その前端部、即ち、環状リブ９の前端部が折曲部４の規制手段を構成し、図１（Ｂ）で示すように、折曲部４と当接することで、折曲部４の軸心Ｘに対する折曲角度１１を所定角度、例えば、所定の鋭角に規制する。尚、注射針が３０Ｇ×２１ｍｍのサイズのもので、環状リブ９の軸心方向の長さは、例えば、１．５０±０．４１ｍｍとされる。
【００１０】
図２及び図３は、本発明の実施の形態の第２例を示し、ハブ２の前端部の外周面が、軸心方向に関して一定径とされたストレート面（一定径部）１３と、前方に向かってテーパー状とされ且つ前端外径がカヌラ１の外径と略同一とされたテーパー面１４が前方に向かって連設されることで、構成されている。
【００１１】
ストレート面１３、テーパー面１４及び折曲部４の後端部には、カバー体１６が外嵌装着されている。カバー体１６は、軟質材料、例えば、ポリエチレンやポリプロピレン等の軟質のプラスチックにより一体形成されている。カバー体１６は、後部側のハブ装着部１７と前部側のカヌラ装着部１８を有する。ハブ装着部１７は、ストレート面１３及びテーパー面１４と対応する形状とされ、これらに外嵌されて、固着されている。この固着は、溶着、接着剤による接着又は粘着剤による粘着により行われる。カヌラ装着部１８は、細い円筒状とされて、折曲部４の後部に外嵌されている。尚、カヌラ装着部１８は、折曲部４に対し、上記のような固着手段により固着される場合と、単に、外嵌されるだけのこともある。カバー体１６は、折曲部４の折曲げ規制手段を構成し、折曲部４の折曲時に、ハブ装着部１７に対するカヌラ装着部１８の折曲抵抗により、折曲部４の折曲げを所定角度に規制する。
【００１２】
図４は、本発明の実施の形態の第３例を示すもので、折曲部４の後部に球状の規制体２０が外嵌固着されている。具体的には、折曲部４が規制体２０の中心部に挿通固着されている。この固着は、溶着、接着剤による接着又は粘着剤による粘着により行われる。規制体２０は、プラスチック等の弾性材料により形成される場合と、金属材料等の硬質材料により形成される場合とがある。規制体２０は、折曲部４の折曲げ規制手段を構成し、図４（Ａ）で示すように、折曲部４の折曲時に、環状リブ９と当接することで、折曲部４の軸心Ｘに対する折曲角度１１を所定角度に規制する。尚、折曲部４の折曲時に、図４（Ａ）の仮想線で示すように、折曲部４の規制体２０よりも前部側を、更に、折曲げることも可能で、これにより、折曲部４の折曲角度１１を、無理なく、大とできる。
【００１３】
尚、本発明は歯科用注射針以外の注射針にも適用可能である。
【図面の簡単な説明】
【００１４】
【図１】（Ａ）は本発明の実施の形態の第１例を示す縦側断面図、（Ｂ）は（Ａ）の折曲部を折曲げた状態を示す縦側断面図である。
【図２】本発明の実施の形態の第２例を示す縦側断面図である。
【図３】図２の要部拡大図である。
【図４】（Ａ）は本発明の実施の形態の第３例を示す縦側断面図、（Ｂ）は（Ａ）の折曲部を折曲げた状態を示す縦側断面図である。
【符号の説明】
【００１５】
１  カヌラ
２  ハブ
４  折曲部
８  固着部
９  環状リブ
１１  折曲角度
１６  カバー体
２０  規制体
【図１】
0004696860.tif 000002
【図２】
0004696860.tif 000003
【図３】
0004696860.tif 000004
【図４】
0004696860.tif 000005